(57)【特許請求の範囲】
【請求項１】
横振りローラ（９）を軸方向に往復移動させる棒（３６ａ，３６ｂ，３６ｃ）を有する印刷機用駆動装置において、
前記棒（３６ａ，３６ｂ，３６ｃ）が、前記横振りローラ（９）に対して相対的に、複数の異なる斜め位置をとることができるように移動可能であって、当該移動が前記横振りローラ（９）の移動を相殺するように、前記棒が継ぎ手（４１）を介して前記横振りローラ（９）と連結されており、
前記継ぎ手（４１）が前記横振りローラ（９）内に配置されている
ことを特徴とする印刷機用駆動装置。
【請求項２】
前記継ぎ手（４１）が、少なくとも、横振りローラの中心軸と同軸に延びる仮想の回転軸の周りを回転可能であり、かつ横振りローラの中心軸に交差して延びる仮想の回転軸の回りを回転可能でもある、請求項１に記載の駆動装置。
【請求項３】
前記継ぎ手（４１）が自動調心軸受である、請求項１または２に記載の駆動装置。
【請求項４】
前記継ぎ手（４１）が横振りローラ（９）の重心に配置されている、請求項１から３のいずれか１項に記載の駆動装置。
【請求項５】
前記棒（３６ａ，３６ｂ，３６ｃ）が、容易に取外しできる接続部（３７）を介して、横振りローラ（９）を軸方向に往復移動させる伝動装置部材（３１）に連結可能である、請求項１から４のいずれか１項に記載の駆動装置。
【請求項６】
前記接続部（３７）が嵌め込み式の接続部である、請求項５に記載の駆動装置。
【請求項７】
前記接続部（３７）が、スナップ結合式の接続部である、請求項５または６に記載の駆動装置。
【請求項８】
前記接続部（３７）が横振りローラ（９）の外部に配置されている、請求項５から７のいずれか１項に記載の駆動装置。
【請求項９】
請求項１から８のいずれか１項に記載の駆動装置を有する印刷機。
【発明の詳細な説明】
【０００１】
【発明の属する技術分野】
本発明は、請求項１の前堤項の通り、横振りローラを軸方向に往復運動させる棒を備えた印刷機用駆動装置に関する。
【０００２】
【従来の技術】
ドイツ特許１８５１９８号明細書には、フレームに固定的に支持されている軸に回転可能にインキローラを有する装置が記載されている。インキローラの内部に延びている連接棒によってピボットの動きがインキローラに伝えられる。
【０００３】
【発明が解決しようとする課題】
本発明の目的は、新規の印刷機用駆動装置を提供することにある。
【０００４】
【課題を解決するための手段】
この目的は、棒が、横振りローラの軸方向に対して直角な、横振りローラの移動を相殺する、棒と横振りローラとの間の相対移動が可能なように、継ぎ手を介して横振りローラと連結されていることを特徴とする印刷機用駆動装置によって達成される。
【０００５】
本発明の駆動装置は、棒と横振りローラとが、横振りローラがその軸方向に直角に動かされた時に棒と横振りローラとが相対移動できるようにする継ぎ手を介して互いに接続されていることを特徴とする。
【０００６】
本発明の駆動装置では、横振りローラの２つのインキ着けローラへの転がり接触を移動の際に損なうことなく、横振りローラを２つのインキ着けローラと一緒に版胴に近づけたり版胴から離したりするように移動できる点が有利である。
【０００７】
本発明の駆動装置の好適な実施態様は従属請求項に記載されている。
【０００８】
横振りローラの中心軸が揺動できる点に関して有利な一実施態様において、継ぎ手は、一方は横振りローラの中心軸と同軸に、他方は横振りローラの中心軸に交差して延びている、少なくとも２つの仮想の回転軸の回りを回転可能である。
【０００９】
横振りローラを棒に対して任意に傾斜できるという利点のある一実施態様において、継ぎ手は３つの自由度、すなわち仮想の回転軸を有している。そのような継ぎ手は、例えば、横振りローラが、中心軸が位置する全ての平面内で揺動運動できるようにする自動調心軸受である。
【００１０】
駆動装置を、組立空間を小さくしてコンパクトに組立てることに関して有利な一実施態様においては、継ぎ手は横振りローラの内部に配置されている。
【００１１】
横振りローラによってインキ着けローラと共にローラの長さを越えて形成されている押圧ストライプの幅が一定であることに関して有利な一実施態様において、継ぎ手は、横振りローラの軸方向に見てほぼ中央に配置されている。
【００１２】
横振りローラを手入れをするために印刷機から容易に取り外すことに関して有利な一実施態様において、棒の、継ぎ手とは反対側の端部は、分離するのが容易な接続部を介して伝動装置部材と接続されており、棒とそれを介して横振りローラが往復移動する。棒の、押したり引いたりの運動は、この際にラジアル軸受としてだけでなくスラスト軸受としても機能する継ぎ手を介して横振りローラに伝達される。印刷工は、接続部を選択的に、横振りローラの取外しの前に外し、横振りローラを再度取り付けた後に繋ぐことができる。
【００１３】
伝動装置部材を棒に嵌合によって連結することに関して有利な一実施態様において、接続部は嵌め込み式の接続部である。
【００１４】
接続部を工具無しで繋いだり外したりすることに関して有利な一実施態様において、接続部は嵌め込み式の接続部であるだけでなく、スナップ結合式の接続部でもある。
【００１５】
接続部を繋いだり外したりする際に接続部に簡単に手が届くことに関して有利な一実施態様において、接続部が配置されている棒端部は横振りローラの内部から外へ突き出ている。
【００１６】
本発明の駆動装置は、特に、オフセット輪転印刷機のインキ装置の構成要素である。
【００１７】
【発明の実施の形態】
次に、本発明の実施の形態について図面を参照して説明する。
【００１８】
図１には、オフセット輪転印刷機として構成されている印刷機１が、版胴３にインキ盛りするインキ装置２を部分的に拡大して示されている。版胴３には、インキ着けされたインキを枚葉紙状の被印刷体上に移す、詳しくは図示されていないゴムブランケット胴が付属しており、そしてゴムブランケット胴は同じく詳しくは図示されていない圧胴上に載っている。
【００１９】
インキ装置２は、インキを貯蔵するインキつぼ４と、インキをインキつぼ４から送り出すインキつぼローラ６上でインキ層の厚さを領域毎に異なるように調整する、インキつぼ４に付属する配量装置５とから構成されている。インキ装置２はさらに、複数の横振りローラ７，８，９，１０と、インキつぼローラ６と横振りローラ７とに交互に転がり接触してそれらの間で往復移動し、インキをインキつぼローラ６から横振りローラ７に移す呼び出しローラ１１と、ローラ列中の２つの横振りローラ７と８，８と９，９と１０のそれぞれの間に配置された転写ローラ１２，１３，１４と、インキ着けローラ１６，１７，１８とから構成されており、インキ着けの際にインキ着けローラ１６が横振りローラ８，９と、インキ着けローラ１７が横振りローラ９，１０と、インキ着けローラ１８が横振りローラ１０とそれぞれ転がり接触した状態で、版胴３上を転がる。最後に、各々が横振りローラ７にだけ当たっている、インキの比率を低減する２つのインキローラ１９，２０もインキ装置２の一部である。
【００２０】
インキ装置２は、２つの異なる接続状態、すなわちインキ着けローラ１６，１７，１８が版胴３に当たっている、図１に実線で示されている印刷位置と、インキ着けローラ１６，１７，１８が版胴３から離されている、鎖線で示されている非印刷位置で示されている。インキ着けローラ１６，１７，１８が版胴３に向かって、または版胴３から離れるように動かされる際、横振りローラ９，１０と転写ローラ１３，１４が、実線で示されている印刷位置、または鎖線で示されている非印刷位置にいっしょに動かされる。この移動の際に、転写ローラ１３とインキ着けローラ１６の横振りローラ８に対する転がり接触と、転写ローラ１４およびインキ着けローラ１７，１８と横振りローラ１０との転がり接触の状態を保ち続けるために、転写ローラ１３とインキ着けローラ１６はそれぞれ横振りローラ８と同軸の支え２１，２３によって、すなわち他方の転写ローラ１３またはインキ着けローラ１６とともに揺動可能であり、転写ローラ１４とインキ着けローラ１７とインキ着けローラ１８はそれぞれ横振りローラ１０と同軸の支え２２，２４，２５によって揺動可能であり、この際転写ローラ１４とインキ着けローラ１７は互いに同方向に、インキ着けローラ１７とインキ着けローラ１８は互いに反対方向に揺動可能である。各支え２１，２２，２３，２４，２５は、最も簡単な場合には、横振りローラ８または１０の周りに同軸に配置された揺動可能な揺動継ぎ手であるレバーとすることができ、そして転写ローラ１３，１４，インキ着けローラ１６，１７，１８のそれぞれはこの回転継ぎ手に、回るように取り付けられている。
【００２１】
横振りローラ９は転写ローラ１４とインキ着けローラ１７の上に同時にそして常に当って、その上さらに、横振りローラ９に常に当っているローラ１３，１６によって押さえられており、したがって横振りローラ９は、隣接するローラ１３，１４，１６，１７によって半径方向にあらゆる面で固定されている。横振りローラ９は、これに嵌合によって連結される回転駆動装置を１つも備えておらず、むしろ転写ローラ１３，１４とインキ着けローラ１６，１７によって摩擦で回転駆動され、この際、転写ローラ１３とインキ着けローラ１６は横振りローラ８によって摩擦で駆動され、転写ローラ１４とインキ着けローラ１７は横振りローラ１０によって摩擦で駆動され、横振りローラ８，１０は、横振りローラ７についても同様に、詳しくは図示されていない電動駆動装置によって嵌合して回転駆動される。
【００２２】
図２には、横振りローラ９の軸方向の振動が、印刷機１の主駆動装置として、横振りローラ７，８，１０と版胴３も回転駆動する、詳しくは図示されていない電動駆動装置が付属している駆動装置によって駆動されることが示されている。
【００２３】
駆動装置には、カム本体２７が溝付きのカム円筒として構成されている三次元のカム伝動装置２６も付属している。カム本体２７の周りに設けられている一続きの溝２８内を、伝動装置部材３１に回転可能に支持されているカムローラ２９が転がりながら案内される。カム本体２７が、転がり軸受として構成されている回転軸受３３によって、印刷機１の側壁を構成するフレーム３４に回転可能に固定されているのと全く同じように、平歯車の駆動歯車３２がカム本体２７に同軸かつこれに回転不能に連結され配置されている。カム本体２７と駆動歯車３２とは、詳細には記載していないブッシュの各段に互いに間隔をおいてはまり込んでおり、ブッシュと共にねじで止められている。ブッシュは、フレーム３４内に差し込まれて、それにねじで止められている、同じく詳細には記載していないピボット上で回転可能な回転軸受３３に被さるようにはまり込んでいる。
【００２４】
前述の電動駆動部が、駆動歯車３２も付属している歯車駆動装置を介してカム本体２７を駆動する。伝動装置部材３１は、カム本体２７の回転軸に、そしてまた横振りローラ９の回転軸にも軸平行であり、回転するカム本体２７によって往復移動するかんぬきとして形成されており、このかんぬきは、フレーム３４に固定された押し継ぎ手３５によって往復移動の方向に直線的に案内される。。
【００２５】
伝動装置部材３１の、カムローラ２９とは反対側の端部で、伝動装置部材３１は、２個所で曲げられた、図２には３６ａ，３６ｂ，３６ｃの３つの位置で示されている棒３６に、容易に取外しできる接続部３７を介して接続されている。接続部３７は、伝動装置部材３１に固定された球状部３８と棒３６に固定された皿状部３９とから構成されており、それぞれが球−皿継ぎ手の回転方向に相当する少なくとも２つ、特に少なくとも３つの自由度を有している球−皿継ぎ手として形成されている。棒３６は管状の横振りローラ９の空洞４０を通って、棒３６の、接続部３７とは反対側の端部に、棒３６を横振りローラ９に接続するために配置されている、空洞４０内に配置されている継ぎ手４１まで延びている。
【００２６】
継ぎ手４１は、横振りローラ９の回転中心である回転軸４２と、垂直軸４３と、水平軸４４と、自動調心軸受として構成されている継ぎ手４１の唯一の極点で回転軸４２，垂直軸４３，水平軸４４に交差する、垂直軸４３と水平軸４４を含む平面内に事実上無数にある他の軸とを有している。継ぎ手４１は、自動調心ローラ軸受、例えば自動調心ころ軸受または自動調心玉軸受として構成されている。
【００２７】
横振りローラ９が、図１に一点鎖線で示されているその非印刷位置にある時は、棒３６は３６ｂの位置をとる。横振りローラ９が非印刷位置から実線で示されている印刷位置へ移動する際、棒３６が位置３６ｂから位置３６ａに移動し、棒３６と横振りローラ９との間の相対位置が変化する。横振りローラ９がその印刷位置に位置している時は、継ぎ手４１の回転軸４２が横振りローラ９の中心軸と正確に一直線に並んでおり、接続部３７の極点が横振りローラ９の中心線の仮想の延長線上に位置している。
【００２８】
継ぎ手４１は、非印刷位置から印刷位置へのその移動の際、横振りローラ９の各移動方向に応じて、垂直軸４３、水平軸４４、または、垂直軸４３と水平軸４４を含む平面内にある軸であってもよい、回転軸４２に直角に延びている軸の周りに回転する。
【００２９】
継ぎ手４１によって、棒３６が横振りローラ９に対して相対的に任意の斜め位置に、そしてまた同軸位置にも移動可能になっている一方、接続部３７によって、棒３６が伝動装置部材３１に対して任意の斜め位置に移動可能になっており、横振りローラ９が移動する際に接続部３７によって行われる調整運動が、継ぎ手４１によって行われる調整運動とは反対向きに行われる。横振りローラ９が印刷位置から非印刷位置に復帰移動する際、棒３６が位置３６ａから位置３６ｂに動くことによって横振りローラ９に対する相対位置を変える、前記した相対運動とは反対の相対運動が行われる。
【００３０】
使用者は、皿状部３９をそのばね作用に抗して球状部３８から引き離すことによって、接続部３７を取外すことができ、その結果棒３６を、横振りローラ９の分解および組立を可能にする位置３６ｃに移動させることができる。皿状部３９の、半径方向のばね作用は、皿状部３９を弾性材料で形成することによって実現される。場合によっては、皿状部３９を球状部３８上に取り付ける際に広がり、その結果皿状部３９が球状部３８に嵌合して包み込んで係合するまで短期間の間広がる開口部を皿状部３９に設けてもよい。
【００３１】
球状部３８が棒３６に、皿状部３９が伝動装置部材３１に付属している、示されている配置とは反対の配置とすることも考えられる。
【００３２】
継ぎ手４１によって、回転する横振りローラ９を、印刷位置にある時も非印刷位置にある時も、カム伝動装置２６の軸方向に動かすことができるようにすることが有利である。
【００３３】
その際、回転するカム本体２７の溝２８が斜めに一巡するように形成されているために、伝動装置部材３１が図２の左右に交互に動き、この運動は接続部３７と棒３６と継ぎ手４１とを経て横振りローラ９に伝達される。その際、継ぎ手４１は、横振りローラ９の回転を可能にするラジアル軸受としてだけでなく、棒３６の押したり引いたりする移動を受け入れるスラスト軸受としても機能する。
【図面の簡単な説明】
【図１】印刷機と、そのインキ装置と、それに含まれる横振りローラとの概略側面図である。
【図２】横振りローラとインキ装置の駆動装置との詳細な平面断面図である。
【符号の説明】
１    印刷機
２    インキ装置
３    版胴
４    インキつぼ
５    配量装置
６    インキつぼローラ
７，８，９，１０    横振りローラ
１１    呼び出しローラ
１２，１３，１４    転写ローラ
１６，１７，１８    インキ着けローラ
１９，２０    インキローラ
２１，２２，２３，２４，２５    支え
２６    カム伝動装置
２７    カム本体
２８    溝
２９    カムローラ
３１    伝動装置部材
３２    駆動歯車
３３    回転軸受
３４    フレーム
３５    押し継ぎ手
３６ａ，３６ｂ，３６ｃ    棒
３７    接続部
３８    球状部
３９    皿状部
４０    空洞
４１    継ぎ手
４２    回転軸
４３    垂直軸
４４    水平軸
【図１】
0004699593.tif 000002
【図２】
0004699593.tif 000003